(57)【要約】    【課題】  施工性に優れ、下地材に対する塗材の所定塗厚を確保しつつ塗材からなる塗材層を補強することができる塗厚確保の提供。    【解決手段】  平ラスの一部を一方の面の側へ折曲突出させることにより、所定平面に沿った平面視方形状をなす平面網状部Ｂと、その平面網状部Ｂの全幅にわたり一方の面の側へ垂直状に突起した複数の互いに平行な垂直網状突条部Ｃを形成する。平面網状部Ｂが下地材Ｄに対し平行状をなし、垂直網状突条部Ｃが平面網状部Ｂから下地材Ｄと逆の側に垂直状に突起するように下地材Ｄに対し取り付けて、平面網状部Ｂ及び垂直網状突条部Ｃに対し付着性の良好なモルタルＭを、下地材Ｄに対し垂直網状突条部Ｃの突起端縁Ｃａの高さまで塗って所定塗厚Ｔを確保する。【選択図】      図２
2010024794.tif 000002
【特許請求の範囲】
【請求項１】
所定平面に沿った平面網状部と、その平面網状部に対し一方の面の側へ垂直状に突起した垂直網状突条部を備えてなり、
平面網状部が下地材に対し平行状をなし、垂直網状突条部が平面網状部から下地材と逆の側に垂直状に突起するように下地材に対し取り付けて、前記平面網状部及び垂直網状突条部に対し付着性の良好な塗材を、下地材に対し垂直網状突条部の突起端縁の高さまで塗って所定塗厚を確保するための塗厚確保材。
【請求項２】
平面網状部が、２以上の互いに平行な垂直網状突条部を有する請求項１記載の塗厚確保材。
【請求項３】
平面網状部から垂直網状突条部とは逆の面の側へ突起して下地材に接することにより平面網状部を下地材に対し平行状に所要高浮かせた状態で支持するための支持部を有する請求項１又は２記載の塗厚確保材。
【発明の詳細な説明】
【技術分野】
【０００１】
本発明は、モルタル等の塗材を塗工する場合において下地材に対する塗材の所定塗厚を確保するための塗厚確保材に関する。
【背景技術】
【０００２】
特開２００６−３４２６０８号公報（特許文献１）には、防耐火性能を有する左官材料であるセメント系又は石こう系もしくはエトリンガイト系結合材を成分とする水和硬化物を硬化させて形成され、柱状部と、この柱状部の一端側に連続するテーパ部とからなり、前記テーパ部は、前記柱状部から離れるほど先細りとなる塗り厚ガイドが開示されている。
【０００３】
この塗り厚ガイドは、左官材料の塗り厚を正確にガイドすることが可能であり、かつ十分な防耐火性能を得ることができるとともに、塗り厚の検査、管理が容易なものとされている。
【０００４】
しかしながらこの塗り厚ガイドは、前記テーパ部をモルタル塗り下地となるラスに向けて差し込むことにより固定して使用するものであるため、施工性の点で改善の余地があった。また、モルタル層の補強等の作用を特に発揮するものではなかった。
【０００５】
また特開平１０−１５２９６５号公報（特許文献２）には、下張材にメタルラスを取り付けるためのステープルに、モルタルの塗り厚の目安となる塗り厚ガイドを設けたものが開示されている。このステープルは、下張材に打ち込まれる一対の脚部と、該脚部を連結する連結部とからなるステープル本体と、当該ステープル本体から前記脚部と反対側に延びる突起状の塗厚ガイドと、を備える金属製の部材である。
【０００６】
しかしながらこのステープルは、下張材に対し垂直に打ち込まれなければ適切な塗厚ガイドの機能を発揮し得ないものである。また、このステープルのみを用いてメタルラスを下張材に固定した場合、突起状の塗厚ガイドが多数満遍なく植設された状態となってモルタル塗りの作業に支障を来たすことともなりかねず、通常のステープルと併用する必要性も生じるものであった。
【特許文献１】特開２００６−３４２６０８号公報
【特許文献２】特開平１０−１５２９６５号公報
【発明の開示】
【発明が解決しようとする課題】
【０００７】
本発明は、従来技術に存した上記のような課題に鑑み行われたものであって、その目的とするところは、施工性に優れ、下地材に対する塗材の所定塗厚を確保しつつ塗材からなる塗材層を補強することができる塗厚確保材を提供することにある。
【課題を解決するための手段】
【０００８】
上記目的を達成する本発明の塗厚確保材は、
所定平面に沿った平面網状部と、その平面網状部に対し一方の面の側へ垂直状に突起した垂直網状突条部を備えてなり、
平面網状部が下地材に対し平行状をなし、垂直網状突条部が平面網状部から下地材と逆の側に垂直状に突起するように下地材に対し取り付けて、前記平面網状部及び垂直網状突条部に対し付着性の良好な塗材を、下地材に対し垂直網状突条部の突起端縁の高さまで塗って所定塗厚を確保するためのものである。
【０００９】
下地材に対し、塗厚確保材を、平面網状部が下地材に対し平行状をなし、垂直網状突条部が平面網状部から下地材と逆の側に垂直状に突起するように取り付けて、平面網状部及び垂直網状突条部に対し付着性の良好な塗材を、下地材に対し垂直網状突条部の突起端縁の高さまで塗る。
【００１０】
垂直網状突条部は平面網状部に対し垂直状に突起したものであるため、垂直網状突条部の突起端縁の位置が平面網状部からの立ち上がりの高さを示すこととなる。また、垂直網状突条部は平面網状部に対し垂直状に突起した網状をなすので、塗材を下地材に対し垂直網状突条部の突起端縁の高さまで塗る場合に、確実且つ容易に、垂直網状突条部の周囲に塗材が十分に行き渡るようにすることができる。
【００１１】
このように塗材を塗ることにより、下地材に対する塗材の所定塗厚を確保しつつ、垂直網状突条部により、塗材からなる塗材層を平面網状部から垂直網状突条部の突起端縁の高さにわたり補強することができる。
【００１２】
また上記本発明の塗厚確保材は、平面網状部から垂直網状突条部とは逆の面の側へ突起して下地材に接することにより平面網状部を下地材に対し平行状に所要高浮かせた状態で支持するための支持部を有するものとすることができる。
【００１３】
下地材に対し、塗厚確保材を、支持部が下地材に接するように取り付ける。これにより、平面網状部が下地材に対し平行状に所要高浮いた状態をなし、垂直網状突条部が平面網状部から下地材と逆の側に垂直状に突起する状態で塗厚確保材が下地材に取り付けられる。
【００１４】
この状態で、平面網状部及び垂直網状突条部に対し付着性の良好な塗材を、下地材に対し垂直網状突条部の突起端縁の高さまで塗ることにより、下地材に対する塗材の所定塗厚を確保しつつ、平面網状部を所定塗厚の中間位置に位置させることができる。このように所定塗厚の中間位置に位置した平面網状部及び平面網状部から垂直状に突起した垂直網状突条部により、塗材からなる塗材層を平面網状部から垂直網状突条部の突起端縁の高さにわたり補強することができる。
【発明の効果】
【００１５】
本発明によれば、下地材に対し、塗厚確保材を、平面網状部が下地材に対し平行状をなし、垂直網状突条部が平面網状部から下地材と逆の側に垂直状に突起するように取り付けて、平面網状部及び垂直網状突条部に対し付着性の良好な塗材を、下地材に対し垂直網状突条部の突起端縁の高さまで塗ることにより、確実且つ容易に、垂直網状突条部の周囲に塗材が十分に行き渡るようにすることができ、下地材に対する塗材の所定塗厚を確保しつつ、垂直網状突条部により、塗材からなる塗材層を平面網状部から垂直網状突条部の突起端縁の高さにわたり補強することができる。
【発明を実施するための最良の形態】
【００１６】
本発明の実施の形態を、図面を参照しつつ説明する。
【００１７】
図１及び図２は何れも本発明の実施の形態の一例としての塗厚確保材についてのものであって、図１は塗厚確保材の模式的斜視図、図２は塗厚確保材を用いたモルタル層の正面断面図である。
【００１８】
図１及び図２に示す塗厚確保材Ａは、所定平面に沿った平面視方形状をなす平面網状部Ｂと、その平面網状部Ｂの全幅にわたり一方の面の側へ垂直状に突起した複数の互いに平行な垂直網状突条部Ｃからなる。なお、平面網状部Ｂは、１つの垂直網状突条部Ｃ又は２以上の互いに平行な垂直網状突条部Ｃを有するものとすることができる。また、この例の垂直網状突条部Ｃは直線状の突条部であるが、曲線状をなすものであってもよい。また、例えばある直線（又は曲線）に沿って間隔をおいて複数の垂直網状突条部Ｃが設けられたものであってもよい。垂直網状突条部Ｃが波形線又は三角波形線に沿って連続又は間隔おきに形成されたものとすることもできる。
【００１９】
この塗厚確保材Ａは、平ラスの一部を一方の面の側へ折曲突出させて垂直網状突条部Ｃを形成したものである。垂直網状突条部Ｃは、平ラスの一部が折曲されて二重に形成されてなる（図は模式的なものであるためこの点は明示していない。）。平面網状部Ｂと垂直網状突条部Ｃは、この例のように一つの素材からなるものであってもよく、同一又は異なる材料からなる別個の素材を溶接又はその他の手段により結合させたものであってもよい。また、垂直網状突条部Ｃは二重である必要はなく、一重とすることもできる。
【００２０】
平面網状部Ｂは、所定平面に沿うものであるが、若干の凹凸を有するものを排除しない。また垂直網状突条部Ｃは平面網状部Ｂの全幅又は全長にわたる突条部とすることができるが必ずしもこれに限らない。
【００２１】
塗厚確保材を構成する素材としては、前記平ラスのほか、例えば、メタルラス、ワイヤラス、エキスパンドメタル、溶接金網、ひし形金網、きっ甲金網等を挙げることができ、力骨を有するものであってもよい。これらの素材を構成する材料は、モルタル又はその他の塗材との付着性が良好なものであることが望ましい。例えば、鋼、亜鉛メッキ鋼等を適宜採用し得る。
【００２２】
この塗厚確保材Ａは、平面網状部Ｂが下地材Ｄ（壁面を構成するための下地材Ｄ等）に対し平行状をなし、垂直網状突条部Ｃが平面網状部Ｂから下地材Ｄと逆の側に垂直状に突起するように下地材Ｄに対し（必要に応じ防水紙或いはシート等を介在させて）、ステープル等の固定手段を用いて取り付けて、前記平面網状部Ｂ及び垂直網状突条部Ｃに対し付着性の良好なモルタルＭ（塗材）を、下地材Ｄに対し垂直網状突条部Ｃの突起端縁Ｃａの高さまで塗って所定のモルタル塗厚Ｔ（１５ｍｍ）を確保するために使用するものである。なお、モルタルの塗厚は例えば５乃至５０ｍｍとすることができる。好ましくは１０乃至３０ｍｍである。
【００２３】
垂直網状突条部Ｃは平面網状部Ｂに対し垂直状に突起したものであるため、垂直網状突条部Ｃの突起端縁Ｃａの位置が平面網状部Ｂからの立ち上がりの高さを示すこととなる。また、垂直網状突条部Ｃは平面網状部Ｂに対し垂直状に突起した網状をなすので、モルタルＭを下地材Ｄに対し垂直網状突条部Ｃの突起端縁Ｃａの高さまで塗る場合に、確実且つ容易に、垂直網状突条部Ｃの周囲にモルタルＭが十分に行き渡るようにすることができる。
【００２４】
このようにモルタルＭを塗ることにより、下地材Ｄに対するモルタルＭの所定塗厚Ｔを確保しつつ、垂直網状突条部Ｃにより、モルタルＭからなるモルタル層を平面網状部Ｂから垂直網状突条部Ｃの突起端縁Ｃａの高さにわたり補強することができる。
【００２５】
この塗厚確保材Ａは、モルタルＭ（塗材）を下地材Ｄに対し塗ってモルタル層を形成するためのラス類と本発明の塗厚確保材の両方の機能を果たす。
【００２６】
なお、本発明の塗厚確保材Ａは、塗材層を形成するためのラス類と別個のものであってもよく、その場合は、通常のラス類と共に用いることができる。そのようなラス類としては、下地材Ｄに（必要に応じ防水紙或いはシート等を介在させて）接するように固定するものや、下地材Ｄに対し（必要に応じ防水紙或いはシート等を介在させて）平行状に所要高浮かせた状態で支持するための複数個所の支持部を有するものを用いることもできる。
【００２７】
図３は、別の塗厚確保材Ａを用いたモルタル層の模式的断面図である。
【００２８】
図３に示す塗厚確保材Ａは、図１及び図２に示す塗厚確保材Ａにおける平面網状部Ｂから垂直網状突条部Ｃとは逆の面の側へ突起して下地材Ｄに接することにより平面網状部Ｂを下地材Ｄに対し平行状に所要高浮かせた状態で支持するための複数個所の支持部Ｓを有する。
【００２９】
この支持部Ｓは、平面網状部Ｂの一部が垂直網状突条部Ｃとは逆側に突起して形成されている。なお、素材として力骨付きのラスを用いた場合、その力骨の一部を複数箇所で垂直網状突条部Ｃとは逆側に突起させて形成することもできる。
【００３０】
この塗厚確保材Ａは次のように使用される。
【００３１】
下地材Ｄに対し、塗厚確保材Ａを、支持部Ｓが（必要に応じ防水紙或いはシート等を介在させて）下地材Ｄに接するように、ステープル等の固定手段を用いて取り付ける。これにより、平面網状部Ｂが下地材Ｄに対し平行状に所要高浮いた状態をなし、垂直網状突条部Ｃが平面網状部Ｂから下地材Ｄと逆の側に垂直状に突起する状態で塗厚確保材Ａが下地材Ｄに取り付けられる。
【００３２】
この状態で、平面網状部Ｂ及び垂直網状突条部Ｃに対し付着性の良好なモルタルＭを、下地材Ｄに対し垂直網状突条部Ｃの突起端縁Ｃａの高さまで塗ることにより、下地材Ｄに対するモルタルＭの所定塗厚を確保しつつ、平面網状部Ｂを所定塗厚Ｔの中間位置に位置させることができる。このように所定塗厚Ｔの中間位置に位置した平面網状部Ｂ及び平面網状部Ｂから垂直状に突起した垂直網状突条部Ｃにより、モルタル層を平面網状部Ｂから垂直網状突条部Ｃの突起端縁Ｃａの高さにわたり補強することができる。
【００３３】
なお、以上の実施の形態についての記述における上下位置関係は、単に図に基づいた説明の便宜のためのものであって、実際の使用状態等を限定するものではない。また、構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００３４】
【図１】塗厚確保材の模式的斜視図である。
【図２】塗厚確保材を用いたモルタル層の模式的断面図である。
【図３】別の塗厚確保材を用いたモルタル層の模式的断面図である。
【符号の説明】
【００３５】
Ａ      塗厚確保材
Ｂ      平面網状部
Ｃ      垂直網状突条部
Ｃａ    突起端縁
Ｄ      下地材
Ｍ      モルタル
Ｓ      支持部
Ｔ      塗厚
【図１】
2010024794.tif 000003
【図２】
2010024794.tif 000004
【図３】
2010024794.tif 000005